【手続補正書】
【提出日】令和3年11月30日(2021.11.30)
【手続補正１】
【補正対象書類名】明細書
【補正対象項目名】００２０
【補正方法】変更
【補正の内容】
【００２０】
［第１実施形態の基本構成］
次に、本発明の第１実施形態を図１〜２１に基づいて説明する。図１，２に示すように、第１実施形態の携帯用加工機１は、マルノコと称されるもので、被加工材Ｗに載せ掛ける矩形平板形状のベース２と、加工機本体１０を備えている。加工機本体１０の下部には、後述する本体支持部５０が取り付けられている。加工機本体１０は、本体支持部５０を介してベース２に支持されている。加工機本体１０は、略円板状の刃具１１を回転可能に支持している。刃具１１は、ベース２に設けられた窓部２ａを経て、刃具１１の下側がベース２の下面側に突き出されている。ベース２の下面側に突き出された刃具１１を切り込ませて被加工材Ｗの切断加工が行われる。加工機本体１０には、使用者が把持するハンドル部３０が設けられている。使用者は、図１において携帯用加工機１の左側に位置してハンドル部３０を把持し、図１において右方に移動させることにより切断加工を進行させることができる。
【手続補正２】
【補正対象書類名】明細書
【補正対象項目名】００３２
【補正方法】変更
【補正の内容】
【００３２】
図７に示すように、電動モータ２１の右側には、冷却ファン２２がモータ軸２１ａと一体に回転可能に取り付けられている。図７中の太い黒矢印で示すように、電動モータ２１を起動させて冷却ファン２２が回転すると、吸気口２０ａからモータハウジング２０内に冷却風が導入される。導入された冷却風が右方の冷却ファン２２に向かって流れる。冷却ファン２２に軸方向に向かって流れる冷却風は、冷却ファン２２の径方向外方に向けて曲げられて、上方のコントローラ２３の底面の方向に向かう。コントローラ２３の底面に沿って右方へ流れながらギヤハウジング２５に設けられた排気口２５ａ（図６，７参照）から排出される。かくして、冷却風によって電動モータ２１やコントローラ２３等が冷却される。
【手続補正３】
【補正対象書類名】明細書
【補正対象項目名】００３３
【補正方法】変更
【補正の内容】
【００３３】
図７に示すように、ギヤハウジング２５には、駆動ギヤ２６と従動ギヤ２７が互いに噛み合って収容されている。駆動ギヤ２６は、モータ軸２１ａの右側部に一体に設けられている。従動ギヤ２７は、スピンドル２８と一体に設けられている。駆動側の駆動ギヤ２６と従動側の従動ギヤ２７との噛み合いが、電動モータ２１の回転出力を減速するための減速ギヤ列を構成している。スピンドル２８は、軸受２８ａ，２８ｂを介してギヤハウジング２５に回転可能に支持されている。スピンドル２８は、モータ軸２１ａに対して平行に配置されている。スピンドル２８の右端側は、固定カバー１５内に突き出されており、この突き出し部分に刃具１１が取り付けられている。刃具１１は、アウタフランジ１２とインナフランジ１３で面直方向（左右方向）に挟まれ、この挟み込み状態がスピンドル２８の先端に締め込んだ固定ボルト１４によりロックされている。これにより、刃具１１は、スピンドル２８に対して軸方向変位不能かつ軸回りに回転不能に固定されている。
【手続補正４】
【補正対象書類名】明細書
【補正対象項目名】００３４
【補正方法】変更
【補正の内容】
【００３４】
図３，６に示すように、固定カバー１５の左側面側であってモータハウジング２０及びギヤハウジング２５の後方には、バッテリベース４０が設けられている。バッテリベース４０は、上下方向を板厚方向とした略平板形状を有しており、その下面側に２つのバッテリパック４２を前後方向に横並び状態で取り付け可能なバッテリ取付部４１が設けられている。バッテリパック４２は、ねじ締め機等その他の電動工具に取り付け可能な汎用性の高い１８Ｖ出力のリチウムイオンバッテリであり、バッテリ取付部４１から取り外して別途用意した充電器で充電することにより繰り返し電源として利用することができる。２つのバッテリパック４２は、電気的には直列に接続されており、電動モータ２１に対して合計３６Ｖの電力を供給することができる。尚、１８Ｖ出力バッテリを例示したが、その替わりに３６Ｖ出力バッテリを２つ直列にして７２Ｖの電力とすることも可能である。
【手続補正５】
【補正対象書類名】明細書
【補正対象項目名】００４１
【補正方法】変更
【補正の内容】
【００４１】
図１７，１９〜２１に示すように、前側ブラケット５１の前面には、円弧状に延び、かつ前方に向かって張り出した２本の凸形レール部５１ａが設けられている。２本の凸形レール部５１ａは、図４，９に示す左右傾動支軸Ｃを円弧中心として並列している。内周側の凸形レール部５１ａのさらに内周側には、前側ブラケット５１の前面より後方に向かって凹形状のガイド部５１ｂが設けられている。ガイド部５１ｂも、凸形レール部５１ａと同様に、左右傾動支軸Ｃを円弧中心とした円弧状である。ガイド部５１ｂの内周側の壁面は、前方に向かうに従って円弧の内周方向に向かって傾斜する傾斜面５１ｃとして形成されている。前側ブラケット５１の前面に設けられたねじ孔５１ｄには、後述する固定レバー５３ｅのレバー軸５３ｇが締め付けられる。
【手続補正６】
【補正対象書類名】明細書
【補正対象項目名】００４２
【補正方法】変更
【補正の内容】
【００４２】
図１８，２０，２１に示すように、後側ブラケット５２の後面には、円弧状に延び、かつ後方に向かって張り出した１本の凸形レール部５２ａが設けられている。凸形レール部５２ａは、図５，１０に示す左右傾動支軸Ｃを円弧中心として設けられている。凸形レール部５２ａの外周側には、後側ブラケット５２の後面より前方に向かって凹形状のガイド部５２ｂが設けられている。ガイド部５２ｂも、凸形レール部５２ａと同様に、左右傾動支軸Ｃを円弧中心とした円弧状である。ガイド部５２ｂの内周側の壁面は、後方に向かうに従って円弧の内周方向に向かって傾斜する傾斜面５２ｃとして形成されている。後側ブラケット５２には、前後方向に貫通して円弧状に延びた長孔であるレバー軸案内孔５２ｄが設けられている。レバー軸案内孔５２ｄは、凸形レール部５２ａと同様に、左右傾動支軸Ｃを円弧中心とした円弧状である。レバー軸案内孔５２ｄには、後述する固定レバー５６ｅを取付け可能なレバー軸５２ｅが、レバー軸案内孔５２ｄの円弧に沿って移動可能に挿入されている。
【手続補正７】
【補正対象書類名】明細書
【補正対象項目名】００５０
【補正方法】変更
【補正の内容】
【００５０】
図１８，２０，２１に示すように、アンギュラプレート５６の前面には、円弧状を有し、かつ後方に向かって凹形状の１本の凹形レール部５６ａが設けられている。凹形レール部５６ａは、図５，１０に示す左右傾動支軸Ｃを円弧中心としている。凹形レール部５６ａと後側ブラケット５２の凸形レール部５２ａは、互いに係合するように設けられている。また、凹形レール部５６ａと凸形レール部５２ａは、摺動可能となるように適宜の隙間（ガタ）を有して係合している。凹形レール部５６ａの外周側には、前後方向に貫通する凸部収容孔５６ｂが設けられている。凸部収容孔５６ｂは、後側ブラケット５２のガイド部５２ｂの特に傾斜面５２ｃと対向する位置に開口している。後側ブラケット５２と対向する凸部収容孔５６ｂの前端には、孔の径が小さくなる係止部５６ｃが設けられている。凸部収容孔５６ｂの後部には、後述するねじ５６ｄが締め付けられるように雌ねじが設けられている。
【手続補正８】
【補正対象書類名】明細書
【補正対象項目名】００５２
【補正方法】変更
【補正の内容】
【００５２】
図１８に示すように、凸部５７は、当接部５７ｂを前側にして凸部収容孔５６ｂの後側から挿入される。当接部５７ｂは凸部収容孔５６ｂの前端から前方へ突出可能であるが、フランジ部５７ｃは係止部５６ｃを通過できないように設けられている。フランジ部５７ｃの後側に位置するように、圧縮ばね５８を凸部収容孔５６ｂに挿入する。凸部５７と圧縮ばね５８が挿入された状態で、凸部収容孔５６ｂの後端をねじ５６ｄでねじ止めする。これにより、凸部収容孔５６ｂから抜け出ないようにして凸部５７と圧縮ばね５８がアンギュラプレート５６に取り付けられる。フランジ部５７ｃは、圧縮ばね５８によって前方に付勢されている。従って、当接部５７ｂは、凸部収容孔５６ｂの前端から突き出るように前方に付勢されている。
【手続補正９】
【補正対象書類名】明細書
【補正対象項目名】００８５
【補正方法】変更
【補正の内容】
【００８５】
以上説明した第１〜第４実施形態の携帯用加工機１，７０，８０，９０には、様々な変更を加えることができる。マルノコと称される携帯用加工機を例示したが、例えばカッタ、ジグソー、ルータ等のその他の携帯用加工機に本発明を適用することができる。アルミダイキャスト製の本体支持部とマグネシウムダイキャスト製のアンギュラプレートを例示したが、例えばマグネシウムダイキャスト製の本体支持部とアルミダイキャスト製のアンギュラプレートであってもよく、例えばアンギュラプレートまたは本体支持部が他の金属材料のダイキャスト製であってもよい。本体支持部のブラケット側に凸形レール部を設け、アンギュラプレートに凹形レール部を設ける構成を例示したが、ブラケット側に凹形レール部を設け、アンギュラプレートに凸形レール部を設ける構成としてもよい。前側傾動支持部３に凸形レール部と凹形レール部をそれぞれ２本ずつ設け、後側傾動支持部４に凸形レール部と凹形レール部をそれぞれ１本ずつ設ける構成を例示したが、凸形レール部と凹形レール部を設ける本数は例示したものに限らず適宜変更してよい。